(57)【要約】【課題】トイレに人が存在する場合でも、トイレに付随する機器の制御を必要に応じて広域通信網を介して行うことを可能にする。【解決手段】トイレシステム１０は、トイレに付随する機器を制御する制御装置１１と、トイレに配置され機器の制御を指示する操作部Ｂ１０を有した操作装置１２とを備える。操作装置１２は、許可操作部Ｂ３１、Ｂ３２、Ｂ３３、Ｂ３４を有する。制御装置１１は、許可操作部Ｂ３１、Ｂ３２、Ｂ３３、Ｂ３４が操作されると、広域通信網ＮＴを介して受け取る指示情報に応答しない無効状態から、指示情報に応じた処理を行う有効状態に移行する。【選択図】図１
2018204332.tif 000002
【特許請求の範囲】
【請求項１】
トイレに付随する機器を制御する制御装置と、
前記トイレに配置され前記機器の制御を指示する操作部を有した操作装置とを備え、
前記操作装置は、許可操作部を有し、
前記制御装置は、
前記許可操作部が操作されると、広域通信網を介して伝送される指示情報に応答しない無効状態から、前記指示情報を受け取り、受け取った指示情報に応じた処理を行う有効状態に移行する
ことを特徴とするトイレシステム。
【請求項２】
前記制御装置は、
人体検知部からトイレに人が存在するか否かの情報を受け取るように構成され、
前記人体検知部が人体を検知していない期間は、前記指示情報を受け取ると、受けとった指示情報に応じた処理を行い、
前記人体検知部が人体を検知すると前記無効状態に移行し、
前記人体検知部が人体を検知している期間に、前記許可操作部が操作されると、前記無効状態から前記有効状態に移行する
請求項１記載のトイレシステム。
【請求項３】
前記処理は、
前記機器の制御を行う処理と、前記機器の動作条件を設定する処理との少なくとも一方を含む
請求項１又は２記載のトイレシステム。
【請求項４】
前記許可操作部は複数あり、前記複数の許可操作部それぞれに互いに異なる識別情報が付されており、
前記制御装置は、
前記複数の許可操作部のうちのいずれかの許可操作部が操作されると、前記無効状態から前記有効状態に移行し、前記指示情報が、操作された許可操作部の識別情報である第１の識別情報に紐付けられた第２の識別情報を含むときに、その指示情報に応じた処理を行う
請求項１〜３のいずれか１項に記載のトイレシステム。
【請求項５】
前記操作装置は、
前記複数の許可操作部それぞれに前記機器に指示する条件が対応付けられ、
前記制御装置は、
前記機器の動作を制御する際に、前記条件のうち操作された許可操作部に対応する条件を前記機器に指示する
請求項４記載のトイレシステム。
【請求項６】
トイレに配置された操作装置から操作信号を受け取る第１インターフェイスと、
広域通信網に接続される第２インターフェイスと、
前記トイレに付随する機器の動作制御を行う処理部とを備え、
前記処理部は、
前記第２インターフェイスに接続された前記広域通信網を介して伝送される指示情報に対して、前記指示情報に応答しない無効状態と、前記指示情報を受け取り、受け取った指示情報に応じた処理を行う有効状態とが選択可能であり、
前記第１インターフェイスが受け取った前記操作信号が許可情報を含むときに前記無効状態から前記有効状態に移行する
ことを特徴とするトイレシステムの制御装置。
【請求項７】
前記処理部は、
人体検知部からトイレに人が存在するか否かの情報を受け取る機能を有し、
前記人体検知部が人体を検知していない期間は、前記指示情報を受け取ると、受けとった指示情報に応じた処理を行い、
前記人体検知部が人体を検知すると前記無効状態に移行し、
前記人体検知部が人体を検知している期間に、前記第１インターフェイスを介して前記許可情報を含む操作信号を受け取ると、前記無効状態から前記有効状態に移行する
請求項６記載のトイレシステムの制御装置。
【請求項８】
前記処理は、
前記機器の制御を行う処理と、前記機器の動作条件を設定する処理との少なくとも一方を含む
請求項６又は７記載のトイレシステムの制御装置。
【請求項９】
前記許可情報は、前記操作装置において複数の識別情報から選択された第１の識別情報を含み、
前記処理部は、
前記第１インターフェイスが前記第１の識別情報を含む操作信号を受け取ると前記無効状態から前記有効状態に移行し、前記第２インターフェイスを介して受け取った前記指示情報が前記第１の識別情報と紐付けられている第２の識別情報を含んでいるときに、その指示情報に応じた処理を行う
請求項６〜８のいずれか１項に記載のトイレシステムの制御装置。
【請求項１０】
前記処理部は、
前記複数の識別情報それぞれに、前記機器に指示する条件を対応付けて記憶する機能と、
前記操作装置から前記第１の識別情報を受け取って前記機器の動作を制御する際に、前記条件のうち前記第１の識別情報に対応付けて記憶している条件を前記機器に指示する機能とを有している
請求項９記載のトイレシステムの制御装置。
【請求項１１】
前記処理部は、
あらかじめ記憶している動作を前記機器に指示する機能と、
前記有効状態において前記第２インターフェイスを介して受け取った前記指示情報による前記機器の動作を記憶する機能とを有している
請求項６〜１０のいずれか１項に記載のトイレシステムの制御装置。
【請求項１２】
前記指示情報は、画面を備えた端末装置から出力され、
前記端末装置は、
前記機器の動作を指示するための表示内容を前記画面に提示する機能と、前記表示内容に対する操作に応じた指示情報を出力する機能とを実現するためのプログラムを実行する
請求項６〜１１のいずれかに記載のトイレシステムの制御装置。
【発明の詳細な説明】
【技術分野】
【０００１】
本発明は、トイレシステム、トイレシステムの制御装置に関する。さらに詳しくは、本発明は、インターネットのような広域通信網を通して伝送された指示情報に応答して機器を制御するトイレシステム、トイレシステムの制御装置に関する。
【背景技術】
【０００２】
特許文献１には、便器と便座装置からなるトイレ装置が記載されている。便座装置は、人体検知センサを備え、トイレ装置は、便座装置の機能を制御する人体検知センサを用いて、遠隔信号に基づく制御を許可するか禁止するかを判断する。機器本体は、ネットワークを介して操作端末と通信し、機器本体の制御部は、人体検知センサが人体を検知していると、遠隔信号に基づく制御を禁止し、人体検知センサが人体を検知していないと、遠隔信号による制御を実行する。
【先行技術文献】
【特許文献】
【０００３】
【特許文献１】特開２０１６−１２２９７３号公報
【発明の概要】
【発明が解決しようとする課題】
【０００４】
特許文献１に記載された技術は、人体検知センサが人体を検知していると遠隔信号による機器本体の制御ができない。したがって、トイレ装置の近くに存在する人は、操作端末の操作による機器本体の制御ができない。
【０００５】
本発明は、トイレに人が存在する場合でも、トイレに付随する機器の制御を必要に応じて広域通信網を介して行えるようにするトイレシステム、トイレシステムの制御装置を提供することを目的とする。
【課題を解決するための手段】
【０００６】
本発明の一態様に係るトイレシステムは、トイレに付随する機器を制御する制御装置と、前記トイレに配置され前記機器の制御を指示する操作部を有した操作装置とを備える。前記操作装置は、許可操作部を有する。前記制御装置は、前記許可操作部が操作されると、広域通信網を介して伝送される指示情報に応答しない無効状態から、前記指示情報を受け取り、受けとった指示情報に応じた処理を行う有効状態に移行する。
【０００７】
本発明の一態様に係るトイレシステムの制御装置は、トイレに配置された操作装置から操作信号を受け取る第１インターフェイスと広域通信網に接続される第２インターフェイスと前記トイレに付随する機器の動作制御を行う処理部とを備える。前記処理部は、前記第２インターフェイスに接続された前記広域通信網を介して伝送される指示情報に対して、前記指示情報に応答しない無効状態と、前記指示情報を受け取り、受けとった指示情報に応じた処理を行う有効状態とが選択可能である。さらに、前記処理部は、前記第１インターフェイスが受け取った前記操作信号が許可情報を含むときに前記無効状態から前記有効状態に移行する。
【発明の効果】
【０００８】
本発明の構成によれば、トイレに存在する人が操作装置を操作することにより、無効状態から有効状態に移行する。また、有効状態では広域通信網を介して受け取る指示情報に応じた処理を可能にする。すなわち、本発明の構成によれば、トイレに人が存在する場合でも、例えば、トイレに付随する機器を制御する処理、機器の動作条件を設定する処理などを、必要に応じて広域通信網を介して行うことが可能である。
【図面の簡単な説明】
【０００９】
【図１】図１は実施形態に係るトイレシステムを示すブロック図である。
【図２】図２は同上を示す斜視図である。
【図３】図３は同上における操作装置を示す正面図である。
【図４】図４は同上における制御装置の動作を示すフローチャートである。
【発明を実施するための形態】
【００１０】
図１に示すように、以下に説明する実施形態の一態様であるトイレシステム１０は、制御装置１１と操作装置１２とを備える。また、図２に示すように、トイレシステム１０は、住居のような建物において、トイレ装置２１が設置された独立した空間２０（以下、トイレ２０という）に構築される。トイレ装置２１は、水洗式の便器２２と便座２３と便蓋２４と洗浄装置２７とを備える。便器２２は腰掛便器である。制御装置１１は、トイレ装置２１に付設される。操作装置１２は、トイレ装置２１が一体に備える場合とトイレ装置２１とは別体である場合とがある。以下では、操作装置１２がトイレ装置２１とは別体、すなわち便器２２とは別に、トイレ２０の壁に配置されている場合を説明する。以下では、トイレ装置２１がトイレ２０に設置された状態を説明し、便器２２において開口面２２１を備える面を上とする。
【００１１】
便座２３及び便蓋２４は、便器２２の上面に対して立ち上がる開位置と、便器２２の上面に沿って伏せる閉位置との間で移動可能となるように、便器２２に結合されている。一般的には、便座２３及び便蓋２４は、回転軸の周りで回転可能となるように便器２２に結合されている。また、便座２３及び便蓋２４は、便器２２に対して分離不能に結合されている。ただし、便座２３及び便蓋２４が、便器２２に対して分離可能に結合されている場合でも以下に説明する技術は適用可能である。
【００１２】
便座２３は閉位置において便器２２の縁に載り、便蓋２４は閉位置において便座２３の上に被さる。便座２３と便蓋２４とのそれぞれは、モータ２５からの駆動力を受けて独立して移動する。便座２３が閉位置であるときに、便蓋２４は開位置と閉位置との間で移動可能であり、便蓋２４が開位置であるときに、便座２３は開位置と閉位置との間で移動可能である。すなわち、便座２３と便蓋２４との両方が閉位置である状態と、便座２３が閉位置であり便蓋２４が開位置である状態と、便座２３と便蓋２４との両方が開位置である状態との３状態が選択可能である。
【００１３】
便器２２のボウル内に洗浄水を吐出させるタイミング及び洗浄水の量は電気信号を受けて動作するバルブ２６により制御される。また、洗浄装置２７は、便座２３に着座した人の局所を洗浄できるように水を吐出させるノズル２７１を備えている。ノズル２７１から水を吐出させる状態は電気信号で指示され、水をノズル２７１から上向きに噴出させる状態、水をノズル２７１の周囲に流してノズル２７１を洗浄する状態などの選択が可能である。ノズル２７１から上向きに噴出した水は、便座２３の中央付近に到達する。したがって、この状態では、便座２３に着座した人の局所を洗浄することが可能である。さらに、洗浄装置２７は、ノズル２７１の位置、ノズル２７１から噴出させる水の圧力及び水を噴出させる態様などが電気信号により制御される。水を噴出させる態様には、ノズル２７１の位置及び水の圧力を変化させずに水を噴出させる態様、時間経過に伴ってノズル２７１の位置を変化させる態様、時間経過に伴って水の圧力を変化させる態様などがある。
【００１４】
トイレ装置２１は、上述したように、便座２３及び便蓋２４を駆動するモータ２５、バルブ２６、洗浄装置２７などの種々の機器を備える。上述した機器を備えるトイレ装置２１は一例である。トイレ装置２１が備える機器は、適宜に取捨選択することが可能である。他の機器の例として、便座２３を暖めるヒータ、帯電した微粒子水を発生させる脱臭装置、便器２２に洗剤を投入する装置なども選択できる。制御装置１１は、上述のようなトイレ２０に付随する機器を制御する。トイレに付随する機器には、手洗い用の水栓、換気装置、照明装置などから選択される機器を含んでいてもよい。
【００１５】
本実施形態のトイレ装置２１は、トイレ２０に人が存在するか否かを検知する人体検知部１３を備えている。人体検知部１３の構成にはとくに制限はない。人体検知部１３は、例えば、焦電型赤外線センサを用いて人体が放射する熱線を検出するパッシブ型、電波の送信及び受信を行うことにより人体を検出するアクティブ型などの構成が選択される。また、人体検知部１３は、便座２３に人が着座しているか否かを検出する着座センサを含んでいてもよい。
【００１６】
本実施形態のトイレシステム１０が備える人体検知部１３は、トイレ２０に入った人が、トイレ装置２１に対して所定の領域に位置し所定の姿勢であることを示す信号を出力するように構成されている。人体検知部１３は、例えば、人が便器２２に近い領域に位置し立っている状態と、人が便座２３に着座している状態とのそれぞれに応じた信号を出力する。人体検知部１３が出力した信号は、制御装置１１が受け取る。制御装置１１は、例えば、前者の状態であれば洗浄装置２７の使用を禁止し、後者の状態である期間中には洗浄装置２７の使用を許可する。
【００１７】
また、人体検知部１３は、人の入室と退室とのそれぞれに応じた信号を出力する。制御装置１１は、人体検知部１３からトイレ２０に人が存在するか否かの情報を受け取ることにより、人の入室と退室とに応じて機器を動作させることが可能である。例えば、制御装置１１は、人体検知部１３から人の入室に対応した信号を受け取ると、便座２３及び便蓋２４が設定されている状態になるようにモータ２５を制御する。ここでの設定されている状態とは、便座２３と便蓋２４との両方を開位置に位置させる状態と、便座２３を閉位置に位置させ便蓋２４を開位置に位置させる状態とから選択される一つの状態である。２つの状態のうちのどちらを制御装置１１に設定するかは、ユーザがどちらの状態を優先するかに応じて決めればよい。また、制御装置１１は、人体検知部１３が人の退室を検出すると、便座２３及び便蓋２４の両方が閉位置に位置するようにモータ２５を制御する。制御装置１１は、人の入室及び退室に際して、照明装置、換気装置などの動作を制御することも可能である。
【００１８】
本実施形態のトイレシステム１０では、制御装置１１は、トイレ装置２１に取り付けられている。一方、操作装置１２はトイレ２０の壁に配置されているから、制御装置１１と操作装置１２とは無線伝送路を介して通信を行う。制御装置１１と操作装置１２とは、電波を用いた無線伝送路を介して通信を行うように構成されている。ただし、制御装置１１と操作装置１２との間の無線伝送路は赤外線のような光を用いることが可能であり、また、制御装置１１と操作装置１２との間を信号線で接続して有線通信を行うことも可能である。
【００１９】
操作装置１２の一例を図３に示す。図３に示す操作装置１２は、上部に並ぶ４個の操作部Ｂ１１、Ｂ１２、Ｂ１３、Ｂ１４を備え、下部に並ぶ６個の操作部Ｂ２０、Ｂ２１、Ｂ２２、Ｂ２３、Ｂ２４、Ｂ２５を備える。また、操作装置１２の上下の中間部には、１個の操作部Ｂ１５と、４個の許可操作部Ｂ３１、Ｂ３２、Ｂ３３、Ｂ３４とが並ぶ。
【００２０】
操作部Ｂ１１、Ｂ１２、Ｂ１３、Ｂ１４と、操作部Ｂ２０、Ｂ２１、Ｂ２２、Ｂ２３、Ｂ２４、Ｂ２５と、操作部Ｂ１５と、許可操作部Ｂ３１、Ｂ３２、Ｂ３３、Ｂ３４とは、いずれも押ボタンである。操作部Ｂ２４、Ｂ２５は、１個の押ボタンに２つの操作位置を備えている。すなわち、操作部Ｂ２４、Ｂ２５は、１個の押ボタンが２個の押ボタンとして機能する。以下において、操作装置１２の操作部Ｂ１１、Ｂ１２、Ｂ１３、Ｂ１４、Ｂ１５、Ｂ２０、Ｂ２１、Ｂ２２、Ｂ２３、Ｂ２４、Ｂ２５を個々に区別する必要がない場合、操作部Ｂ１０と記述する。
【００２１】
図３には１１個の操作部Ｂ１０が示されているが、操作装置１２に設けられる操作部Ｂ１０の個数は設計などにより適宜に変更される。また、図３に示す操作装置１２のケース１２０では、操作部Ｂ２０、Ｂ２１、Ｂ２２、Ｂ２３、Ｂ２４、Ｂ２５が配置されている部位にカバー１２１を備えている。カバー１２１で覆われる部位には、常時は使用しない操作部Ｂ１０が配置される。図３に示す操作装置１２では、ケース１２０の下部にカバー１２１が設けられているが、カバー１２１の配置にとくに制限はなく、またカバー１２１は設けなくてもよい。
【００２２】
操作装置１２の操作部Ｂ１０あるいは許可操作部Ｂ３１、Ｂ３２、Ｂ３３、Ｂ３４のいずれかが操作されると、操作装置１２から制御装置１１に対して操作信号が送信される。操作信号は、操作される操作部Ｂ１０あるいは許可操作部Ｂ３１、Ｂ３２、Ｂ３３、Ｂ３４に応じて異なる情報を含む。
【００２３】
操作部Ｂ１１、Ｂ１２は、便器２２に流す水の量を２段階から選択する。すなわち、２個の操作部Ｂ１１、Ｂ１２のうちの一方が操作されると、制御装置１１は、操作された操作部Ｂ１１、Ｂ１２に応じた量の水を便器２２に流すようにバルブ２６を制御する。また、制御装置１１は、操作部Ｂ１３が操作されるたびに便座２３を閉状態と開状態との間で移動させ、操作部Ｂ１４が操作されるたびに便蓋２４を閉状態と開状態との間で移動させる。
【００２４】
下部に並ぶ操作部Ｂ２１、Ｂ２２、Ｂ２３は洗浄装置２７の動作の種類を選択するときに操作され、操作部Ｂ２０は洗浄装置２７の動作を停止させるときに操作される。操作部Ｂ２４は、ノズル２７１が噴出する水の圧力を調節するときに操作され、操作部Ｂ２４が操作される場所に応じて、圧力を高める操作と弱める操作とが可能である。また、操作部Ｂ２５は、ノズル２７１から水が噴出する位置を調節するときに操作される。ノズル２７１から水が噴出する位置は直線上で調節することが可能であり、操作部Ｂ２５が操作される場所に応じて、水が噴出する位置を一方の向きに変位させる操作と他方の向きに変位させる操作とが可能である。なお、制御装置１１は、操作部Ｂ２４、Ｂ２５の操作毎に水の圧力又は水が噴出する位置を段階的に調節する。上下の中間部に配置された操作部Ｂ１５は、擬似的な流水音などを発生させるときに操作される。
【００２５】
ところで、制御装置１１は、操作装置１２の操作部Ｂ１０が操作されたときに機器の動作を制御するだけでなく、インターネットのような広域通信網ＮＴを介して受け取る指示情報でも機器を制御できるように構成されている。指示情報は、広域通信網ＮＴに接続される端末装置３０が出力することが望ましい。ただし、端末装置３０が指示情報を出力することは必須ではなく、トイレ装置２１のメンテナンスなどのために、製造者あるいは施工者などがサーバから指示情報を与えるように構成することも可能である。操作装置１２に設けられている許可操作部Ｂ３１、Ｂ３２、Ｂ３３、Ｂ３４は、制御装置１１が端末装置３０から受け取る指示情報による機器の制御を許可するために設けられている。
【００２６】
本実施形態において、制御装置１１に指示情報を与える端末装置３０は、スマートフォン、タブレット端末、パーソナルコンピュータなどから選択される移動端末を想定しているが、パーソナルコンピュータなどの固定端末を用いることもできる。ここに、制御装置１１に指示情報を与える端末装置３０には、機器を制御する機能と機器の動作条件を設定する機能との少なくとも一方を実現するためのアプリケーションプログラム（いわゆる「アプリ」）がインストールされている。したがって、端末装置３０は、アプリケーションプログラムを起動することにより、トイレ２０に付随する機器の動作を指示することが可能である。移動端末は、画面を備えて、タッチセンサ、トラックパッド、マウスなどから選択される位置入力装置を備える。
【００２７】
移動端末は、アプリケーションプログラムが起動されると、機器の動作を指示するための表示内容を画面に提示する。この表示内容は、操作装置１２の操作部Ｂ１０と同様の機能を対応付けたアイコン、操作装置１２では複数の操作部Ｂ１０を同時あるいは順番に操作する必要がある機能を対応付けたアイコンなどが含まれる。また、移動端末では、複数の機器を時間経過に伴って順番に制御すること、あるいは特定の機器について時間経過に伴って動作条件を変化させるようなプログラム制御を指示することが可能である。そのため、移動端末の画面上では、プログラム制御のための機器の動作条件を入力することが可能である。
【００２８】
移動端末は、表示内容に対して位置入力装置を操作することにより、操作に応じた指示情報を出力する。移動端末に、プログラム制御の動作条件が入力された場合、指示情報には機器が動作する順番及び時間の条件が含まれる。
【００２９】
端末装置３０は、ウェブブラウザを用いて表示される画面を通して機器の動作を指示するようにしてもよい。ウェブブラウザを通して機器の動作を指示する場合には、広域通信網ＮＴにサーバが端末装置３０からの指示を制御装置１１に引き渡す。なお、制御装置１１が端末装置３０に対するサーバとしての機能を備えていてもよい。
【００３０】
制御装置１１は、端末装置３０から受け取る指示情報に応答しない無効状態と、端末装置３０から指示情報を受け取り、受け取った指示情報に応じた処理を行う有効状態とが選択される。有効状態である期間に、制御装置１１が端末装置３０からの指示情報を受け取ると、制御装置１１は指示情報に応じて、機器を制御する処理、機器の動作条件を記憶する処理などから選択される処理を行う。４個の許可操作部Ｂ３１、Ｂ３２、Ｂ３３、Ｂ３４は、制御装置１１が無効状態であるときに、有効状態に移行させるために操作される。
【００３１】
４個の許可操作部Ｂ３１、Ｂ３２、Ｂ３３、Ｂ３４それぞれには、互いに異なる固有の識別情報が付されている。４個の許可操作部Ｂ３１、Ｂ３２、Ｂ３３、Ｂ３４のいずれかが操作されると、これらの識別情報のうちの１つが第１の識別情報として選択される。また、制御装置１１において、端末装置３０が持つ第２の識別情報に許可操作部Ｂ３１、Ｂ３２、Ｂ３３、Ｂ３４それぞれの識別情報が紐付けられている。操作装置１２の識別情報は、例えば１番から４番の数値である。また、端末装置３０が持つ第２の識別情報は、個々の端末装置３０を識別できればよい。したがって、第２の識別情報は、端末装置３０のＭＡＣアドレス（MAC：Media Access Control）、移動端末の個体識別番号、端末装置３０に固有のＩＰアドレス（IP：Internet Protocol）などから選択される。
【００３２】
第１の識別情報と第２の識別情報とを紐付ける作業は、制御装置１１を通常動作から登録動作に切り替えて行う。制御装置１１を通常動作と登録動作との間で切り替えるには、操作装置１２においてカバー１２１に覆われている部位に配置された専用の操作部Ｂ１０を操作する。通常動作と登録動作とを切り替えるために、専用の操作部Ｂ１０を設ける代わりに、操作装置１２の複数の操作部Ｂ１０を組み合わせて操作するように操作装置１２あるいは制御装置１１が構成されていてもよい。また、通常動作と登録動作とを切り替える操作部は制御装置１１が備えていてもよい。
【００３３】
制御装置１１が登録動作である期間には、１台の端末装置３０を４個の許可操作部Ｂ３１、Ｂ３２、Ｂ３３、Ｂ３４のいずれかに紐付けることが可能である。端末装置３０を許可操作部Ｂ３１、Ｂ３２、Ｂ３３、Ｂ３４に紐付けるとは、許可操作部Ｂ３１、Ｂ３２、Ｂ３３、Ｂ３４に付されている識別情報と第２の識別情報とを対応付け、対応付けた識別情報及び第２の識別情報を制御装置１１に登録することを意味する。許可操作部Ｂ３１、Ｂ３２、Ｂ３３、Ｂ３４に付した識別情報及び第２の識別情報が制御装置１１に登録された後、許可操作部Ｂ３１、Ｂ３２、Ｂ３３、Ｂ３４のいずれかが操作されると、複数の識別情報から選択された第１の識別情報を含む許可情報が制御装置１１に送信される。
【００３４】
トイレ２０に人が存在しない状態では、洗浄装置２７のノズル２７１から水を噴出させることはないが、トイレ装置２１の洗浄を行うように機器を動作させてもよい。したがって、制御装置１１は、端末装置３０から広域通信網ＮＴを介して受け取る指示情報に応じて機器を制御することができる。
【００３５】
一方、トイレ２０に人が存在する状態で、許可操作部Ｂ３１、Ｂ３２、Ｂ３３、Ｂ３４が操作される前には、人体検知部１３がトイレ２０に存在する人を検知している。そのため、制御装置１１は無効状態である。すなわち、制御装置１１は、端末装置３０から広域通信網ＮＴを介して指示情報を受け取っても応答しない。
【００３６】
そして、制御装置１１が無効状態であるときに、許可操作部Ｂ３１、Ｂ３２、Ｂ３３、Ｂ３４のいずれかが操作されると、許可情報を含む操作信号が制御装置１１に与えられるから、制御装置１１は有効状態に移行する。制御装置１１は、有効状態であると、操作された許可操作部Ｂ３１、Ｂ３２、Ｂ３３、Ｂ３４に対応した端末装置３０からの指示情報に応じた処理を行う。制御装置１１は、端末装置３０からの指示情報が、操作された許可操作部Ｂ３１、Ｂ３２、Ｂ３３、Ｂ３４に対応する第１の識別情報に対応する第２の識別情報を含んでいるときにのみ、この指示情報に応じた処理行う。
【００３７】
ところで、操作装置１２の操作部Ｂ１０は、トイレ装置２１を使った用便、トイレ装置２１の清掃などに関連した機器の一般的な動作を指示するために設けられている。制御装置１１が有効状態であれば人がトイレ２０に存在しているから、操作装置１２で簡単に指示できる機器の動作は、端末装置３０では必ずしも指示できなくてもよい。そのため、端末装置３０は、操作装置１２では指示が難しいような機器の動作を指示可能であることが望ましい。
【００３８】
操作装置１２では指示が難しく、端末装置３０では指示できるような機器の動作としては、人の好みに合わせた機器の動作条件、操作装置１２で複数の操作部Ｂ１０を組み合わせて指示する動作などがある。機器の動作条件とは、選択肢がある機器の選択あるいは調節要素がある機器の調節量などを意味する。また、複数の操作部Ｂ１０を組み合わせて指示する動作には、複数の操作部Ｂ１０を同時に操作して指示する動作、複数の操作部Ｂ１０を順番に操作して指示する動作などがある。
【００３９】
いま、調節要素がある機器として洗浄装置２７に着目し、洗浄装置２７に関する調節量として、ノズル２７１の位置及びノズル２７１から噴出する水の圧力を想定する。トイレ装置２１を特定の複数人で共用する場合、それぞれの人が、ノズル２７１の位置及びノズル２７１から噴出する水の圧力を好みに応じて調節するとすれば、トイレ装置２１を使用する人が代わるたびに、操作装置１２の操作が必要になる。
【００４０】
そのため、処理部１１０は、識別情報それぞれに、機器の動作条件を対応付けて記憶する機能を有していることが望ましい。また、処理部１１０は、操作装置１２の許可操作部Ｂ３１、Ｂ３２、Ｂ３３、Ｂ３４が操作されることにより許可情報を受け取ると、許可情報に含まれる第１の識別情報に対応付けて記憶している動作条件を機器に指示する機能を有していることが望ましい。ここで、動作条件は、機器を動作させる指示情報を含んでいてもよいが、上述した洗浄装置２７の例のように、ノズル２７１の位置及びノズル２７１から噴出する水の圧力を動作条件とする場合には、処理部１１０は、これらについて条件を設定するだけでよい。すなわち、処理部１１０は、許可操作部Ｂ３１、Ｂ３２、Ｂ３３、Ｂ３４の操作では、操作部Ｂ２４、Ｂ２５で調節される条件を設定すればよい。許可操作部Ｂ３１、Ｂ３２、Ｂ３３、Ｂ３４の操作後に、操作部Ｂ２１あるいは操作部Ｂ２３が操作されると、処理部１１０は、設定された動作条件で洗浄装置２７を動作させる。
【００４１】
この構成において、許可操作部Ｂ３１、Ｂ３２、Ｂ３３、Ｂ３４は、処理部１１０を無効状態から有効状態に移行させ、有効状態で機器の制御を可能にする端末装置３０の選択を行うだけでなく、人に応じた機器の動作条件を一括して設定するためにも兼用される。許可操作部Ｂ３１、Ｂ３２、Ｂ３３、Ｂ３４それぞれに動作条件を対応付ける作業は、制御装置１１を登録動作に切り替えた状態で、操作装置１２を操作することにより行えばよい。また、制御装置１１が有効状態であるときに、登録動作を選択すれば、端末装置３０の操作によって処理部１１０に動作条件を登録することが可能である。
【００４２】
ところで、操作装置１２は、一般的には、トイレ装置２１の使用のたびに操作するために設けられている。そのため、人の好みに応じた動作条件を処理部１１０に設定する際に操作装置１２を用いるとすれば、登録動作を選択するための作業が必要であり、限られた個数の操作部Ｂ１０で詳細な動作条件を登録する作業は、使用者にとって作業性がよいとは言えない。そのため、本実施形態の処理部１１０は有効状態において第２インターフェイス１１２が受け取った指示情報による機器の動作を記憶する機能を備えている。第２インターフェイス１１２が受け取る指示情報は、機器の動作を指示する情報であり、機器の動作条件も含んでいる。
【００４３】
また、処理部１１０は、第２インターフェイス１１２が受け取った指示情報を記憶した後は、記憶している動作を機器に指示することが可能である。ここで、許可操作部Ｂ３１、Ｂ３２、Ｂ３３、Ｂ３４の操作後に、第２インターフェイス１１２が受け取る指示情報は、許可操作部Ｂ３１、Ｂ３２、Ｂ３３、Ｂ３４に対応付けることが可能である。したがって、許可操作部Ｂ３１、Ｂ３２、Ｂ３３、Ｂ３４の操作後に、端末装置３０によって機器の動作を指示すると、許可操作部Ｂ３１、Ｂ３２、Ｂ３３、Ｂ３４に、人の好みに応じた動作条件を対応付けることができる。なお、処理部１１０が記憶している指示情報に従って機器を制御する場合には、端末装置３０から機器を起動する指示を行えばよい。この場合、処理部１１０が記憶している指示情報が複数の機器をまとめて制御する内容であれば、端末装置３０の１回の操作で複数の機器をまとめて制御することが可能である。
【００４４】
ところで、操作装置１２で複数の操作部Ｂ１０を組み合わせて指示する動作の例としては、操作装置１２を子供などがいたずらで操作しても、制御装置１１が応答しないように、操作装置１２の操作を一時的に無効にするチャイルドロックなどがある。さらに、排泄物の量を計測する機能、排泄物の成分分析を行う機能のように、トイレ装置２１が使用する人の健康状態を監視する機能を有している場合、健康状態の監視結果を端末装置３０に提示させることが望ましい。
【００４５】
上述したように、トイレ２０に付随する機器の動作を操作装置１２から指示するだけではなく、端末装置３０からも指示することが可能である。すなわち、制御装置１１は、端末装置３０と通信を行うように構成されている。そのため、人体検知部１３が検知したトイレ２０への入室の情報を、制御装置１１が広域通信網ＮＴを介して端末装置３０に通知してもよい。制御装置１１が端末装置３０に通知する情報は、人体検知部１３が人を検知したことを表す情報、人体検知部１３が人を検知しない状態が所定の時間を超えたという情報、人体検知部１３が人を検知した時間帯の情報などから選択される。また、制御装置１１から端末装置３０へは、人の検知のみの情報であれば検知毎に通知すればよく、人を検知した時間帯の情報であれば、例えば１日毎、半日毎などに通知すればよい。このようにトイレ２０への入室に関する情報を制御装置１１から端末装置３０に通知すれば、トイレ２０から離れた場所で端末装置３０によりトイレ装置２１が使用されたか否かを監視することが可能である。そのため、例えば高齢者あるいは要介護者の生活を見守るために利用することが可能である。
【００４６】
また、トイレ装置２１が便器２２に洗剤を投入する機能を有している場合に、洗剤の残量を制御装置１１が監視し、端末装置３０からの問い合わせに対して制御装置１１から端末装置３０に洗剤の残量を通知してもよい。制御装置１１は、洗剤の残量が補充を要する程度まで低減したときに、端末装置３０にプッシュ通知を行うように構成されていることが望ましい。さらに、トイレ装置２１がメンテナンスの要否を監視する機能を有している場合、トイレ装置２１に異常があるか否かを端末装置３０から確認可能であることが望ましく、またトイレ装置２１に異常が生じたときに、制御装置１１から端末装置３０にメンテナンスの要求を通知することが望ましい。
【００４７】
端末装置３０をトイレ装置２１に関連付けて動作させるアプリケーションプログラムで実現される機能として、制御装置１１と連携することにより、監視した健康状態に応じて健康状態の改善あるいは増進のためのアドバイスを提供する機能を有していてもよい。また、アプリケーションプログラムは、トイレ装置２１の操作マニュアルを端末装置３０に提示してもよい。操作マニュアルは、操作の方法、異常への対処方法、Ｑ＆Ａの提供が可能であればよい。さらに、操作マニュアルには、トイレ装置２１の望ましい設定例が示されることが望ましい。トイレ装置２１の設定例としては、例えば、トイレ装置２１への水の給水圧に応じた設定、トイレ装置２１の快適性を重視する設定、省エネルギーを重視する設定などが示される。
【００４８】
以下に、制御装置１１の一例を説明する。制御装置１１は、図１に示すように、第１インターフェイス１１１と第２インターフェイス１１２と処理部１１０とを備える。第１インターフェイス１１１は、操作装置１２と無線通信を行うように構成され、操作装置１２から操作信号を受け取る。また、第２インターフェイス１１２は、広域通信網ＮＴに接続されるように構成される。広域通信網ＮＴは、ここではインターネットを想定している。広域通信網ＮＴは、端末装置３０としての移動端末と制御装置１１とが通信可能となるように無線伝送路を含んでいる。図１において、破線で示す経路は、無線伝送路を表している。
【００４９】
第２インターフェイス１１２から広域通信網ＮＴへの伝送路は、有線伝送路と無線伝送路とのどちらであってもよい。有線伝送路を採用する場合、電力を供給する屋内配線を通信線に兼用する電力線搬送通信を行うと、制御装置１１を広域通信網ＮＴに接続する施工作業の省力化につながる。また、無線伝送路を採用する場合の、通信規格にとくに制限はなく、Wi-Fi（登録商標）、Bluetooth（登録商標）、BLE（Bluetooth Low Energy）、ZigBee（登録商標）などから適宜に選択される。通信規格としてWi-Fiを採用すると、建物に設置されたアクセスポイントを介して、制御装置１１と広域通信網ＮＴとを接続することが可能である。なお、第２インターフェイス１１２は、スマートフォン、タブレット端末などを介してテザリングを行ってもよい。
【００５０】
操作装置１２に設けられた１１個の操作部Ｂ１０あるいは４個の許可操作部Ｂ３１、Ｂ３２、Ｂ３３、Ｂ３４のいずれかが操作されると、操作装置１２から操作信号が出力される。操作部Ｂ１０が操作されることにより出力された操作信号を第１インターフェイス１１１が受け取ると、処理部１１０は、操作信号の内容に応じて機器を制御する。一方、許可操作部Ｂ３１、Ｂ３２、Ｂ３３、Ｂ３４が操作されたときに出力される操作信号は、許可情報を含み、さらに許可操作部Ｂ３１、Ｂ３２、Ｂ３３、Ｂ３４それぞれに対応する識別情報を含む。
【００５１】
処理部１１０は、第２インターフェイス１１２を介して端末装置３０から受け取る指示情報に応じた処理を行う有効状態と、端末装置３０から受け取る指示情報に応答しない無効状態とが選択可能である。処理部１１０は、人体検知部１３が人体を検知していなければ有効状態を選択する。この場合の有効状態では、処理部１１０は、あらかじめ登録されている端末装置３０からの指示情報を受け取ると、機器を指示情報に従って制御する処理と、指示情報に含まれる機器の動作条件を記憶する処理との少なくとも一方を行う。
【００５２】
一方、人体検知部１３が人体を検知していない状態から人体を検知する状態に移行すると、処理部１１０は有効状態から無効状態に移行する。また、無効状態において、操作装置１２における４個の許可操作部Ｂ３１、Ｂ３２、Ｂ３３、Ｂ３４のいずれかが操作され、第１インターフェイス１１１を介して操作情報に含まれる許可情報を受け取ると、処理部１１０は無効状態から有効状態に移行する。この場合の有効状態では、処理部１１０は、操作された許可操作部Ｂ３１、Ｂ３２、Ｂ３３、Ｂ３４に紐付けされている端末装置３０からの指示情報に対してのみ応答し、その指示情報に応じた処理を行う。
【００５３】
処理部１１０は、プログラムを実行するコンピュータを主なハードウェア要素として備える。コンピュータは、少なくともプロセッサ及びメモリを備える。コンピュータは、１つの集積回路で構成されたマイクロコントローラが用いられる。また、コンピュータは、プロセッサを備える集積回路とは別にメモリを備えるように構成されていてもよい。
【００５４】
図４を用いて制御装置１１の動作の一例を簡単に説明する。人体検知部１３が人体を検知していないときには（Ｓ１１：Ｎｏ）、トイレ２０に人が存在しないことを表しているから、処理部１１０は有効状態を選択する（Ｓ１２）。処理部１１０は、有効状態であるときに、あらかじめ制御装置１１に登録されている端末装置３０から第２インターフェイス１１２を介して指示情報を受け取ると（Ｓ１３：Ｙｅｓ）、指示情報に応じた処理を行う（Ｓ１４）。
【００５５】
一方、人体検知部１３が人体を検知しているときには（Ｓ１１：Ｙｅｓ）、トイレ２０に人が存在することを表している。このとき、指示情報に従って機器を制御することができる端末装置３０がトイレ２０の外に存在していると、トイレ２０に存在している人の意思に関係なく機器の制御が行われることがある。そのため、人体検知部１３が人体を検知しているときに（Ｓ１１：Ｙｅｓ）、許可操作部Ｂ３１、Ｂ３２、Ｂ３３、Ｂ３４が操作されなければ（Ｓ１５：Ｎｏ）、処理部１１０は無効状態を選択する（Ｓ１６）。処理部１１０は、無効状態ではトイレ２０の外部に存在する端末装置３０からの指示情報に応答しない。無効状態は、人体検知部１３が人体を検知しなくなるか（Ｓ１１：Ｎｏ）、操作装置１２で４個の許可操作部Ｂ３１、Ｂ３２、Ｂ３３、Ｂ３４のいずれかが操作される（Ｓ１５：Ｙｅｓ）まで継続する。
【００５６】
ただし、人体検知部１３が人体を検知しているときであっても（Ｓ１１：Ｙｅｓ）、操作装置１２の４個の許可操作部Ｂ３１、Ｂ３２、Ｂ３３、Ｂ３４のいずれかが操作されると（Ｓ１５：Ｙｅｓ）、処理部１１０は無効状態から有効状態に移行する（Ｓ１７）。ここで端末装置３０から指示情報を受け取ると（Ｓ１８：Ｙｅｓ）、処理部１１０は、操作された許可操作部Ｂ３１、Ｂ３２、Ｂ３３、Ｂ３４に対応する第１の識別情報と、端末装置３０が持つ第２の識別情報とが紐付けられているか否かを確認する。第１の識別情報と第２の識別情報とが紐付けられていると、つまり２つの識別情報が対応していると（Ｓ１９：Ｙｅｓ）、処理部１１０は、端末装置３０から受け取った指示情報に応じた処理を行う（Ｓ２０）。
【００５７】
ステップＳ１７で有効状態に移行した後、端末装置３０から指示情報を受け取らない場合でも（Ｓ１８：Ｎｏ）、人体検知部１３が継続して人体を検知していれば（Ｓ２１：Ｙｅｓ）、トイレ２０に人が存在している状態が継続していることを表す。そのため、人体検知部１３が人体を検知している状態が継続していれば（Ｓ２１：Ｙｅｓ）、端末装置３０からの指示情報を待ち続ける。また、許可操作部Ｂ３１、Ｂ３２、Ｂ３３、Ｂ３４の操作により有効状態に移行した後に、人体検知部１３が人体を検知しなくなれば（Ｓ２１：Ｎｏ）、トイレ２０から人が退出したことを表す。このとき、処理部１１０は、許可操作部Ｂ３１、Ｂ３２、Ｂ３３、Ｂ３４の操作により有効状態に移行した後に、人体検知部１３が人体を検知しなくなれば（Ｓ２１：Ｎｏ）、ステップＳ１１に戻る。ステップＳ１１に戻った後、次に人体検知部１３が人体を検知するまで処理部１１０は有効状態になる。
【００５８】
上述した実施形態において、ステップＳ２０で端末装置３０から受け取った指示情報に応じた処理を行った後、ステップＳ１８に戻っているが、無効状態に移行した後、ステップＳ１１に戻るようにしてもよい。また、上述した実施形態において、人体検知部１３がトイレ装置２１に設けられているが、人体検知部１３は制御装置１１が備えていてもよい。また、人体検知部１３は操作装置１２が備えていてもよく、人体検知部１３はトイレ装置２１あるいは操作装置１２とは別にトイレ２０に配置されていてもよい。
【００５９】
なお、人体検知部１３は必須ではなく省略可能である。人体検知部１３が設けられていない場合、処理部１１０は、操作装置１２の４個の許可操作部Ｂ３１、Ｂ３２、Ｂ３３、Ｂ３４のいずれかが操作されたときにのみ無効状態から有効状態に移行する。すなわち、制御装置１１は、４個の許可操作部Ｂ３１、Ｂ３２、Ｂ３３、Ｂ３４のいずれかが操作されたときにのみ、端末装置３０からの指示情報に応じた処理を行う。したがって、人体検知部１３を備えていない場合には、人がトイレ２０に存在する場合にのみ有効状態が選択される。
【００６０】
上述した実施形態では、制御装置１１が第２インターフェイス１１２を備えており、トイレ装置２１が制御装置１１を一体に備えている。これに対して、制御装置１１はトイレ装置２１から分離されていてもよく、第２インターフェイス１１２は操作装置１２が備えていてもよい。
【００６１】
さらに、上述したトイレシステム１０では、操作装置１２が４個の許可操作部Ｂ３１、Ｂ３２、Ｂ３３、Ｂ３４を備えているが、許可操作部の個数にとくに制限はなく、１個以上設けられていればよい。操作装置１２が１個の許可操作部のみを備えるときには、１台の端末装置３０だけを制御装置１１に登録する場合と、複数台の端末装置３０を制御装置１１に登録する場合とがある。
【００６２】
上述したトイレシステム１０では、人体検知部１３が人体を検知している状態であっても、許可操作部Ｂ３１、Ｂ３２、Ｂ３３、Ｂ３４が操作されなければ、指示情報に応答しない無効状態である。これに対し、人体検知部１３が人体を検知すると、トイレ２０に人が存在することを表す情報を制御装置１１が端末装置３０に通知し、この情報の通知を受けた端末装置３０が指示情報の送信を禁止してもよい。すなわち、端末装置３０が制御装置１１から人体の検知を表す情報を受け取ったときに端末装置３０からの指示情報の送信を禁止する機能を、端末装置３０にインストールされるアプリケーションプログラムで実現してもよい。
【００６３】
この場合、制御装置１１は、人体検知部１３が人体を検知している状態で、許可操作部Ｂ３１、Ｂ３２、Ｂ３３、Ｂ３４が操作されると、許可操作部Ｂ３１、Ｂ３２、Ｂ３３、Ｂ３４が操作されたことを表す情報を端末装置３０に通知する。端末装置３０は、制御装置１１からの通知を受けると指示情報の送信を禁止している状態を解除し、制御装置１１に対して指示情報の送信を許可する状態に移行する。端末装置３０が制御装置１１に指示情報を送信した後の制御装置１１の動作は、上述したトイレシステム１０と同様である。すなわち、制御装置１１は、端末装置３０から指示情報を受け取ると、受け取った指示情報に従って機器を制御する処理と、指示情報に含まれる機器の動作条件を記憶する処理との少なくとも一方を行う。
【００６４】
また、上述した制御装置１１は、無効状態においても広域通信網ＮＴから指示情報を受け取ることが可能であるが、許可操作部Ｂ３１、Ｂ３２、Ｂ３３、Ｂ３４が操作されたときにのみ広域通信網ＮＴから指示情報を受け取るように構成してもよい。すなわち、制御装置１１は、許可操作部Ｂ３１、Ｂ３２、Ｂ３３、Ｂ３４が操作されると第２インターフェイス１１２が動作を開始し、第２インターフェイス１１２が広域通信網ＮＴから指示情報を受け取るように構成されていてもよい。この制御装置１１は、許可操作部Ｂ３１、Ｂ３２、Ｂ３３、Ｂ３４が操作されたときにのみ第２インターフェイス１１２を動作させればよいため、第２インターフェイス１１２を常時動作させる制御装置１１より省電力である。
【００６５】
上述した実施形態のトイレシステム１０は、トイレ２０に付随する機器を制御する制御装置１１と、トイレ２０に配置され機器の制御を指示する操作部Ｂ１０を有した操作装置１２とを備える。操作装置１２は、許可操作部Ｂ３１、Ｂ３２、Ｂ３３、Ｂ３４を有する。制御装置１１は、許可操作部Ｂ３１、Ｂ３２、Ｂ３３、Ｂ３４が操作されると、広域通信網ＮＴを介して伝送される指示情報に応答しない無効状態から、指示情報を受け取り、受け取った指示情報に応じた処理を行う有効状態に移行する。機器は、便座２３及び便蓋２４を駆動するモータ２５、バルブ２６、洗浄装置２７などである。機器は、便座２３を暖めるヒータ、帯電した微粒子水を発生させる脱臭装置、便器２２に洗剤を投入する装置、手洗い用の水栓、換気装置、照明装置などから選択されてもよい。
【００６６】
すなわち、広域通信網ＮＴを介して伝送される指示情報に応答しない無効状態で、操作装置１２の許可操作部Ｂ３１、Ｂ３２、Ｂ３３、Ｂ３４が操作されると、制御装置１１は指示情報を受け取り、受け取った指示情報に応じた処理を行う。それゆえ、トイレ２０に存在する人は、操作装置１２を操作することによって、制御装置１１を有効状態に移行させ、広域通信網ＮＴを介して機器を制御する処理、機器の動作条件を設定する処理などの処理を必要に応じて行うことが可能である。
【００６７】
また、制御装置１１は、無効状態で許可操作部Ｂ３１、Ｂ３２、Ｂ３３、Ｂ３４が操作されなければ無効状態を維持する。無効状態では、仮にトイレ２０の外部に存在する端末装置３０から広域通信網ＮＴを介して指示情報が送信されたとしても、制御装置１１が応答しないため、トイレ２０の外の人からの機器の制御あるいは機器の動作条件の変更が禁止される。言い換えると、トイレ２０に存在する人が意図しないときに、機器の制御あるいは機器の動作条件の変更が行われる可能性が低減される。
【００６８】
制御装置１１は、人体検知部１３からトイレ２０に人が存在するか否かの情報を受け取るように構成されていることが望ましい。この場合、制御装置１１は、人体検知部１３が人体を検知していない期間は、指示情報を受け取ると、受けとった指示情報に応じた処理を行う。また、制御装置１１は、人体検知部１３が人体を検知すると無効状態に移行し、人体検知部１３が人体を検知している期間に、許可操作部Ｂ３１、Ｂ３２、Ｂ３３、Ｂ３４が操作されると、無効状態から有効状態に移行する。トイレ２０に存在する人は、トイレ２０の使用中に限らず、清掃などのためにトイレ２０に存在する人も含まれる。
【００６９】
このトイレシステム１０は、トイレ２０に人が存在しなければ、トイレ２０の外から機器を制御する処理、指示情報に含まれる機器の動作条件を設定する処理などが可能である。また、トイレ２０に人が存在すれば、許可操作部Ｂ３１、Ｂ３２、Ｂ３３、Ｂ３４が操作された場合にのみ広域通信網ＮＴから受け取る指示情報で機器を制御することが可能である。要するに、トイレ２０に人が存在しなければ、トイレ２０の外から機器の制御が可能であり、トイレ２０に人が存在すれば、通常は広域通信網ＮＴからの指示情報は無効であるが、操作装置１２の操作により広域通信網ＮＴからの指示情報が有効になる。そのため、様々な場面で広域通信網ＮＴを通した機器の制御が可能になる。
【００７０】
処理は、機器の制御を行う処理と、機器の動作条件を設定する処理との少なくとも一方を含むことが望ましい。
【００７１】
すなわち、有効状態では、端末装置３０からの指示情報により、機器の制御と、機器の動作条件の設定との少なくとも一方の処理を行うことが可能である。
【００７２】
許可操作部Ｂ３１、Ｂ３２、Ｂ３３、Ｂ３４は複数あってもよい。複数の許可操作部Ｂ３１、Ｂ３２、Ｂ３３、Ｂ３４それぞれには、互いに異なる第１の識別情報が付されている。制御装置１１は、複数の許可操作部Ｂ３１、Ｂ３２、Ｂ３３、Ｂ３４のうちのいずれかの許可操作部Ｂ３１、Ｂ３２、Ｂ３３、Ｂ３４が操作されると、無効状態から有効状態に移行する。そして、制御装置１１は、指示情報が、操作された許可操作部Ｂ３１、Ｂ３２、Ｂ３３、Ｂ３４の識別情報である第１の識別情報に紐付けられた第２の識別情報を含むときに、その指示情報に応じた処理を行う。
【００７３】
すなわち、複数の許可操作部Ｂ３１、Ｂ３２、Ｂ３３、Ｂ３４のうち操作されたいずれかの許可操作部Ｂ３１、Ｂ３２、Ｂ３３、Ｂ３４に対応する第２の識別情報を含む指示情報を受け取ったときに、その指示情報に応じて処理を行う。したがって、複数種類の指示情報をそれぞれ異なる許可操作部Ｂ３１、Ｂ３２、Ｂ３３、Ｂ３４に対応付けておくことで、複数種類の指示情報のうち操作装置１２で選択された指示情報だけに応答する。言い換えると、制御装置１１は意図しない指示情報に応答せず、複数種類の指示情報が錯綜する可能性が低減される。
【００７４】
操作装置１２は、複数の許可操作部Ｂ３１、Ｂ３２、Ｂ３３、Ｂ３４それぞれに機器に指示する条件が対応付けられていてもよい。この場合、制御装置１１は、機器の動作を制御する際に、複数の条件のうち操作された許可操作部Ｂ３１、Ｂ３２、Ｂ３３、Ｂ３４に対応する条件を機器に指示する。
【００７５】
すなわち、許可操作部Ｂ３１、Ｂ３２、Ｂ３３、Ｂ３４ごとに機器を動作させる条件が設定可能である。許可操作部Ｂ３１、Ｂ３２、Ｂ３３、Ｂ３４に設定する機器の動作条件は、トイレ２０に付随する機器を使用する人の好みに応じて定めることができる。この構成では、許可操作部Ｂ３１、Ｂ３２、Ｂ３３、Ｂ３４を、広域通信網ＮＴからの指示情報を選択する機能と、機器の動作条件を選択する機能とに兼用される。
【００７６】
上述した実施形態のトイレシステム１０の制御装置１１は、第１インターフェイス１１１と、第２インターフェイス１１２と、処理部１１０とを備える。第１インターフェイス１１１は、トイレ２０に配置された操作装置１２から操作信号を受け取る。第２インターフェイス１１２は、広域通信網ＮＴに接続される。処理部１１０は、トイレ２０に付随する機器の動作制御を行う。処理部１１０は、第２インターフェイス１１２に接続された広域通信網ＮＴを介して伝送される指示情報に対して、指示情報に応答しない無効状態と、指示情報を受け取り、受け取った指示情報に応じた処理を行う有効状態とが選択可能である。第１インターフェイス１１１が受け取った操作信号が許可情報を含むときに無効状態から有効状態に移行する。ここでの処理は、機器の制御を行う処理と、機器の動作条件を設定する処理との少なくとも一方を含むことが望ましい。
【００７７】
すなわち、広域通信網ＮＴを介して受けとった指示情報に応答しない無効状態で、操作装置１２から許可情報を含む操作信号を受け取ると、処理部１１０は、広域通信網ＮＴを介して受け取った指示情報に応じた処理を可能にする。それゆえ、トイレ２０に存在する人は、操作装置１２を操作することにより、広域通信網ＮＴを介して機器を制御する処理、機器の動作条件を設定する処理などの処理を行うことが可能である。一方、制御装置１１は、無効状態で許可操作部Ｂ３１、Ｂ３２、Ｂ３３、Ｂ３４が操作されなければ無効状態を維持するから、トイレ２０に存在する人が意図しないときに、機器の制御あるいは機器の動作条件の変更が行われる可能性が低減される。
【００７８】
処理部１１０は、人体検知部１３からトイレ２０に人が存在するか否かの情報を受け取る機能を有することが望ましい。処理部１１０は、人体検知部１３が人体を検知していない期間は、広域通信網ＮＴを介して指示情報を受け取ると、その指示情報に応じた処理を行う。また、処理部１１０は、人体検知部１３が人体を検知すると無効状態に移行し、人体検知部１３が人体を検知している期間に、第１インターフェイス１１１を介して許可情報を含む操作信号を受け取ると、無効状態から有効状態に移行することが望ましい。
【００７９】
すなわち、このトイレシステム１０の制御装置１１は、トイレ２０に人が存在しなければ、トイレ２０の外から機器を制御する処理、機器の動作条件を設定する処理などが可能である。処理部１１０は、トイレ２０に人が存在するとき、広域通信網ＮＴを介して受け取った第２の識別情報が、操作装置１２から受け取った許可情報に含まれる識別情報に対応していれば、広域通信網ＮＴを介して受け取る指示情報に応じた処理を行うことが可能である。このように、トイレ２０に人が存在しなければ、トイレ２０の外から指示が可能であり、トイレ２０に人が存在すれば、通常は広域通信網ＮＴを介しての指示は無効であるが、操作装置１２の操作により広域通信網ＮＴを介しての指示が有効になる。そのため、様々な場面で広域通信網ＮＴを通した処理が可能になる。
【００８０】
許可情報は、複数種類の識別情報から選択された第１の識別情報を含んでいてもよい。この場合、処理部１１０は、第１インターフェイス１１１が第１の識別情報を含む操作信号を受け取ると無効状態から有効状態に移行する。また、処理部１１０は、第２インターフェイス１１２が受け取った指示情報が第１の識別情報と紐付けられている第２の識別情報を含んでいるときに、その指示情報に応じた処理を行う。
【００８１】
すなわち、操作装置１２からの許可情報が複数種類の識別情報から選択された第１の識別情報を含んでいる場合、第１の識別情報に紐付けられている第２の識別情報を含む指示情報を受け取ると、その指示情報に応じた処理を行う。そのため、制御装置１１は意図しない指示情報に応答せず、複数の指示情報が錯綜する可能性が低減される。
【００８２】
処理部１１０は、複数の識別情報それぞれに、機器に指示する条件を対応付けて記憶する機能を有していてもよい。この場合、処理部１１０は、操作装置１２から第１の識別情報を受け取って機器の動作を制御する際に、条件のうち第１の識別情報に対応付けて記憶している条件を機器に指示する機能を有することが望ましい。
【００８３】
すなわち、機器を動作させる条件が複数の識別情報それぞれに対応付けることが可能である。複数の識別情報それぞれに対応付ける機器の動作条件は、個人の好みに応じて定めることができる。
【００８４】
処理部１１０は、あらかじめ記憶している動作を機器に指示する機能と、有効状態において第２インターフェイス１１２を介して受け取った指示情報による機器の動作を記憶する機能とを有していてもよい。
【００８５】
すなわち、処理部１１０が記憶している動作を機器に指示するから、複数の機器があっても一括して動作を指示することが可能である。しかも、処理部１１０に記憶させる機器の動作は、広域通信網ＮＴを介して書き換えることができるから、機器に様々な動作を指示することが可能である。
【００８６】
指示情報は、画面を備えた端末装置３０から出力されることが望ましい。端末装置３０は、機器の動作を指示するための表示内容を画面に提示する機能と、表示内容に対する操作に応じた指示情報を出力する機能とを実現するためのプログラムを実行することが望ましい。
【００８７】
すなわち、移動端末でアプリケーションプログラムを実行することにより、移動端末の画面の表示内容に応じて移動端末を操作することで、制御装置１１に指示情報を与えることができる。移動端末は無線通信を行うから、トイレ２０に付随する機器の動作を、トイレ２０の内と外との両方から指示することが可能である。
【００８８】
上述した実施形態は、本発明の様々な実施形態の一部に過ぎない。また、上述した実施形態は、本発明の目的を達成できれば、設計等に応じて種々の変更が可能である。
【符号の説明】
【００８９】
１０  トイレシステム
２０  トイレ
１１  制御装置
１２  操作装置
１３  人体検知部
２３  便座
２４  便蓋
２５  モータ（機器）
２６  バルブ（機器）
２７  洗浄装置（機器）
３０  端末装置
１１０  処理部
１１１  第１インターフェイス
１１２  第２インターフェイス
Ｂ１０  操作部
Ｂ１１、Ｂ１２、Ｂ１３、Ｂ１４、Ｂ１５  操作部
Ｂ２０、Ｂ２１、Ｂ２２、Ｂ２３、Ｂ２４、Ｂ２５  操作部
Ｂ３１、Ｂ３２、Ｂ３３、Ｂ３４  許可操作部
ＮＴ  広域通信網
【図１】
2018204332.tif 000003
【図２】
2018204332.tif 000004
【図３】
2018204332.tif 000005
【図４】
2018204332.tif 000006